【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
効果音の発音のための前処理と後処理と効果音の発音処理とを行う出力処理手段と、
撮影の開始に連動して前記出力処理手段による第一の効果音の出力処理を行い、
撮影の終了または前記第一の効果音の出力処理の終了に連動して前記出力処理手段による第二の効果音の出力処理を行うよう制御する制御手段とを有し、
前記制御手段は、前記出力処理手段が、
各処理を省略することなく行った場合の前記第一の効果音の後処理の終了より早いタイミングで前記第二の効果音の前処理または発音処理を開始するよう制御することを特徴とする撮像装置。
【請求項２】
効果音の発音のための前処理と後処理との少なくとも一方と効果音の発音処理とを行う出力処理手段と、
撮影の開始に連動して前記出力処理手段による第一の効果音の出力処理を行い、
撮影の終了または前記第一の効果音の出力終了に連動して前記出力処理手段による第二の効果音の出力処理を行うよう制御する制御手段とを有し、
前記制御手段は、前記出力処理手段が、
前記第一の効果音の後処理と前記第二の効果音の前処理のうちの少なくとも一部を省いた処理を行うよう制御することを特徴とする撮像装置。
【請求項３】
効果音の発音処理を行う出力処理手段と、
撮影の開始に連動して前記出力処理手段による第一の効果音の出力処理を行い、
撮影の終了に連動して前記出力処理手段による第二の効果音の出力処理を行うよう制御する制御手段とを有し、
前記制御手段は、前記出力処理手段が、
前記第一の効果音の出力処理中に撮影が終了した場合、
前記第二の効果音を前記第一の効果音と重ねて出力処理するよう制御することを特徴とする撮像装置。
【請求項４】
前記制御手段は、前記出力処理手段が、
前記第一の効果音の後処理と前記第二の効果音の前処理のうちの少なくとも一部を省いた処理を行うよう制御することを特徴とする請求項１記載の撮像装置。
【請求項５】
前記制御手段は、前記第二の効果音を前記第一の効果音と重ねて出力処理するよう制御することを特徴とする請求項１記載の撮像装置。
【請求項６】
前記制御手段は、
前記第一の効果音の出力処理が終了した後に前記撮影が終了する場合は、前記出力処理手段が、各処理を省略することなく行った場合の前記第一の効果音の後処理の終了後に前記第二の効果音の前処理または発音処理を開始するよう制御し、
前記第一の効果音の出力処理が終了する前に前記撮影が終了する場合は、各処理を省略することなく行った場合の前記第一の効果音の後処理の終了より早いタイミングで前記第二の効果音の前処理または発音処理を開始するよう制御することを特徴とする請求項１記載の撮像装置。
【請求項７】
前記制御手段は、
前記第一の効果音の出力処理が終了した後に前記撮影が終了する場合は、前記出力処理手段が前記第一の効果音の後処理と前記第二の効果音の前処理を省くことなく行うよう制御し、
前記第一の効果音の出力処理が終了する前に前記撮影が終了する場合は、前記出力処理手段が前記第一の効果音の後処理と前記第二の効果音の前処理のうちの少なくとも一部を省いた処理を行うよう制御することを特徴とする請求項２記載の撮像装置。
【請求項８】
前記制御手段は、前記出力処理手段が前記第一の効果音の発音処理と前記第二の効果音の発音処理との間で第三の効果音の発音処理を行う場合には、
前記第一の効果音の後処理と前記第二の効果音の前処理とを行うよう制御することを特徴とする請求項１または２記載の撮像装置。
【請求項９】
前記制御手段は、前記第一の効果音の音声データまたは前記第二の効果音の音声データのどちらか一方が存在しない場合は、前記出力処理手段が、存在する方の効果音の出力処理を前処理と後処理とを省略することなく行うよう制御することを特徴とする請求項１または２記載の撮像装置。
【請求項１０】
前記出力処理手段は、前記第一の効果音の発音処理を中断しないことを特徴とする請求項１または２記載の撮像装置。
【請求項１１】
前記撮影の開始は前記撮像装置の操作部材が操作されたことによる露光処理の動作開始の指示あるいは露光開始の少なくとも一方であり、前記撮影の終了は露光終了であることを特徴とする請求項１または２または３記載の撮像装置。
【請求項１２】
効果音の発音のための前処理と後処理と効果音の発音処理とを行う出力処理工程と、
撮影の開始に連動して前記出力処理工程による第一の効果音の出力処理を行い、
撮影の終了または前記第一の効果音の出力処理の終了に連動して前記出力処理工程による第二の効果音の出力処理を行うよう制御する制御工程とを有し、
前記制御工程は、前記出力処理工程が、
各処理を省略することなく行った場合の前記第一の効果音の後処理の終了より早いタイミングで前記第二の効果音の前処理または発音処理を開始するよう制御することを特徴とする撮像装置の制御方法。
【請求項１３】
効果音の発音のための前処理と後処理との少なくとも一方と効果音の発音処理とを行う出力処理工程と、
撮影の開始に連動して前記出力処理工程による第一の効果音の出力処理を行い、
撮影の終了または前記第一の効果音の出力終了に連動して前記出力処理工程による第二の効果音の出力処理を行うよう制御する制御工程とを有し、
前記制御工程は、前記出力処理工程が、
前記第一の効果音の後処理と前記第二の効果音の前処理のうちの少なくとも一部を省いた処理を行うよう制御することを特徴とする撮像装置の制御方法。
【請求項１４】
効果音の発音処理を行う出力処理工程と、
撮影の開始に連動して前記出力処理工程による第一の効果音の出力処理を行い、
撮影の終了に連動して前記出力処理工程による第二の効果音の出力処理を行うよう制御する制御工程とを有し、
前記制御工程は、前記出力処理工程が、
前記第一の効果音の出力処理中に撮影が終了した場合、
前記第二の効果音を前記第一の効果音と重ねて出力処理するよう制御することを特徴とする撮像装置の制御方法。
【請求項１５】
コンピュータを
効果音の発音のための前処理と後処理と効果音の発音処理とを行う出力処理手段、
撮影の開始に連動して前記出力処理手段による第一の効果音の出力処理を行い、
撮影の終了または前記第一の効果音の出力処理の終了に連動して前記出力処理手段による第二の効果音の出力処理を行うよう制御する制御手段として機能させるためのプログラムであって、
前記制御手段は、前記出力処理手段が、
各処理を省略することなく行った場合の前記第一の効果音の後処理の終了より早いタイミングで前記第二の効果音の前処理または発音処理を開始するよう制御することを特徴とするプログラム。
【請求項１６】
コンピュータを、
効果音の発音のための前処理と後処理との少なくとも一方と効果音の発音処理とを行う出力処理手段、
撮影の開始に連動して前記出力処理手段による第一の効果音の出力処理を行い、
撮影の終了または前記第一の効果音の出力終了に連動して前記出力処理手段による第二の効果音の出力処理を行うよう制御する制御手段として機能させるためのプログラムであって、
前記制御手段は、前記出力処理手段が、
前記第一の効果音の後処理と前記第二の効果音の前処理のうちの少なくとも一部を省いた処理を行うよう制御することを特徴とするプログラム。
【請求項１７】
コンピュータを、
効果音の発音処理を行う出力処理手段、
撮影の開始に連動して前記出力処理手段による第一の効果音の出力処理を行い、
撮影の終了に連動して前記出力処理手段による第二の効果音の出力処理を行うよう制御する制御手段として機能させるためのプログラムであって、
前記制御手段は、前記出力処理手段が、
前記第一の効果音の出力処理中に撮影が終了した場合、
前記第二の効果音を前記第一の効果音と重ねて出力処理するよう制御することを特徴とするプログラム。
【請求項１８】
コンピュータを
効果音の発音のための前処理と後処理と効果音の発音処理とを行う出力処理手段、
撮影の開始に連動して前記出力処理手段による第一の効果音の出力処理を行い、
撮影の終了または前記第一の効果音の出力処理の終了に連動して前記出力処理手段による第二の効果音の出力処理を行うよう制御する制御手段として機能させるためのプログラムであって、
前記制御手段は、前記出力処理手段が、
各処理を省略することなく行った場合の前記第一の効果音の後処理の終了より早いタイミングで前記第二の効果音の前処理または発音処理を開始するよう制御することを特徴とするプログラムを記録したコンピュータが読み取り可能な記録媒体。
【請求項１９】
コンピュータを、
効果音の発音のための前処理と後処理との少なくとも一方と効果音の発音処理とを行う出力処理手段、
撮影の開始に連動して前記出力処理手段による第一の効果音の出力処理を行い、
撮影の終了または前記第一の効果音の出力終了に連動して前記出力処理手段による第二の効果音の出力処理を行うよう制御する制御手段として機能させるためのプログラムであって、
前記制御手段は、前記出力処理手段が、
前記第一の効果音の後処理と前記第二の効果音の前処理のうちの少なくとも一部を省いた処理を行うよう制御することを特徴とするプログラム。を記録したコンピュータが読み取り可能な記録媒体。
【請求項２０】
コンピュータを、
効果音の発音処理を行う出力処理手段、
撮影の開始に連動して前記出力処理手段による第一の効果音の出力処理を行い、
撮影の終了に連動して前記出力処理手段による第二の効果音の出力処理を行うよう制御する制御手段として機能させるためのプログラムであって、
前記制御手段は、前記出力処理手段が、
前記第一の効果音の出力処理中に撮影が終了した場合、
前記第二の効果音を前記第一の効果音と重ねて出力処理するよう制御することを特徴とするプログラムを記録したコンピュータが読み取り可能な記録媒体。
【手続補正２】
【補正対象書類名】明細書
【補正対象項目名】発明の名称
【補正方法】変更
【補正の内容】
【発明の名称】撮像装置およびその制御方法およびプログラムおよび記録媒体